(57)【要約】      （修正有）【課題】落差を利用した簡易な構造で安価に製作できる一人で出来る打撃練習装置を提供する。【解決手段】支柱1の上部にボール２が１個通るほどの円筒３をやや傾斜させて連結し、この円筒３の下端に落下樋４を急勾配に傾斜させて連結する。そして落下樋４の先端にＬ字型パイプ５を取り付けてボール２が上方に向けて飛び出すようにした。また前記円筒３の上方にボールを複数個並べられる整列樋６を該円筒３と逆方向にやや傾斜させて併設し、整列樋６の下端と前記円筒３の上端とをＵ字型パイプ７で連結して整列樋６から落下するボール２が１８０°方向を切り替えられて円筒３内に落ち込むようにした。【選択図】図１
0003115262.tif 000002
【実用新案登録請求の範囲】
【請求項１】
支柱1の上部にボール２が１個通るほどの円筒３をやや傾斜させて連結し、この円筒３の下端に落下樋４を急勾配に傾斜させて連結する。そして落下樋４の先端にＬ字型パイプ５を取り付けてボール２が上方に向けて飛び出すようにした打撃練習装置。
【請求項２】
前記円筒３の上方にボールを複数個並べられる整列樋６を該円筒３と逆方向にやや傾斜させて併設し、整列樋６の下端と前記円筒３の上端とをＵ字型パイプ７で連結して整列樋６から落下するボール２が１８０°方向を切り替えられて円筒３内に落ち込むようにした請求項１記載の打撃練習装置。
【請求項３】
前記円筒３の中間にボール２が一個落ちる穴８を開け、この穴８に臨むようにボール２の落下防止板９を配してボールを止めるようにすると共に、この落下防止板９が金属板または樹脂板を山形に２段に折り曲げたものであって、一端が支柱１に設けたヒンジ１０に連結しており、他端が足踏みペダル１１に連結するワイヤ１２に連結してある請求項１及び請求項２に記載の打撃練習装置。
【請求項４】
前記ボール２が山形に折り曲げられた落下防止板９の頂部左側の斜面９ａで保持されて落下せずその位置に一旦止まり、そしてペダル１１を踏むとワイヤ１２に連結する落下防止板９が引き込まれてヒンジ１０を支点に落下防止板９が上動しボール２を円筒３内に送り込むようにした請求項３記載の打撃練習装置。
【請求項５】
前記整列樋６、円筒３及び落下樋４は伸縮自在な長さ調節ロッド１３、１４、１５を用いて傾斜角を変えられるようにした請求項１及び請求項２に記載の打撃練習装置。
【考案の詳細な説明】
【技術分野】
【０００１】
本考案は、野球、ソフトボールの打撃練習に使用する装置に関わる。
【背景技術】
【０００２】
従来、一人で行う野球、ソフトボールの打撃練習装置として特許文献１には、傾斜させた樋状のガイドにボールを並べ、ペダルを踏むとボールが１個づつ落下するようにしたものが開示され、また特許文献２には、ペダルに代えて電磁ソレノイドを用いて間欠的にボールを送り出すようにしたものが開示されている。
【特許文献１】実公昭５８―２２７７７号
【特許文献２】特開平１０―５２５１８号
【考案の開示】
【考案が解決しようとする課題】
【０００３】
本考案は、一人で出来る野球、ソフトボールの打撃練習装置であって、落差を利用した簡易な構造で安価に製作できる練習装置を提供することを目的とする。
【課題を解決するための手段】
【０００４】
本考案は、請求項1記載のように、支柱1の上部にボール２が１個通るほどの円筒３をやや傾斜させて連結し、この円筒３の下端に落下樋４を急勾配に傾斜させて連結する。そして落下樋４の先端にＬ字型パイプ５を取り付けてボール２が上方に向けて飛び出すようにした打撃練習装置である。
【０００５】
また請求項２記載のように、前記円筒３の上方にボールを複数個並べられる整列樋６を該円筒３と逆方向にやや傾斜させて併設し、整列樋６の下端と前記円筒３の上端とをＵ字型パイプ７で連結して整列樋６から落下するボール２が１８０°方向を切り替えられて円筒３内に落ち込むようにした打撃練習装置である。
【０００６】
また請求項３記載のように、前記円筒３の中間にボール２が一個落ちる穴８を開け、この穴８に臨むようにボール２の落下防止板９を配してボールを止めるようにすると共に、この落下防止板９が金属板または樹脂板を山形に２段に折り曲げたものであって、一端が支柱１に設けたヒンジ１０に連結しており、他端が足踏みペダル１１に連結するワイヤ１２に連結してある打撃練習装置である。
【０００７】
さらに請求項４記載のように、前記ボール２が山形に折り曲げられた落下防止板９の頂部左側の斜面９ａで保持されて落下せずその位置に一旦止まり、そしてペダル１１を踏むとワイヤ１２に連結する落下防止板９が引き込まれてヒンジ１０を支点に落下防止板９が上動しボール２を円筒３内に送り込むようにした一人で行う野球、ソフトボールの打撃練習装置である。
【０００８】
また請求項５記載のように、前記整列樋６、円筒３及び落下樋４は伸縮自在な長さ調節ロッド１３、１４、１５を用いて傾斜角を変えられるようにした。
【考案の効果】
【０００９】
１人でのトスバッティングが可能であり、落差を利用した簡単な装置なので小型、軽量、安価であり普及しやすい。そしてペダルを踏むことにより急勾配な落下樋４の先端からボールを１個づつ上方に向けて放物線を描いて飛び出すようにした打撃練習装置であるので一人で行うトスバッティングが可能となる。また前記整列樋６、円筒３及び落下樋４は伸縮自在な長さ調節ロッド１３、１４、１５を用いて傾斜角を変えられるようにしてあるのでボールの落下スピードを自在に変化させることが出来る。
【００１０】
ボールを複数個並べられる断面Ｕ字型の整列樋６を前記円筒３と逆方向にやや傾斜させて併設し、整列樋６の下端と前記円筒３の上端とを両端が同方向に開口するＵ字型のパイプ７で連結して整列樋６から流れるボール２の落下方向を切り替えるようにしたので打撃練習機の設置スペースを少なくすることが出来るなどの効果がある。
【考案を実施するための最良の形態】
【００１１】
本考案の打撃練習装置は、三脚で支持された支柱1の上部にボール２が１個通るほど円筒３をやや傾斜させて連結し、この円筒３の下端に落下樋４を急勾配に傾斜させて連結する。そして落下樋４の先端にＬ字型パイプ５を取り付けて加速度の付いたボール２が上方に向けてその開口５ａから放物線を描いて飛び出すようにした。
【実施例１】
【００１２】
本考案の野球、ソフトボールの打撃練習装置の好適なひとつの実施例を以下、図面に基づき説明する。図１に示すように三脚で支持された伸縮自在な支柱1の上部にボール２が１個通るほどの塩ビ製の円筒３をやや傾斜させて連結し、この円筒３の下端に上方を開放した断面Ｕ字型の落下樋４を急勾配に傾斜させて連結する。そして落下樋４の先端に約９０度上向きに屈曲させたＬ字型パイプ５を取り付けて加速度の付いたボール２が上方に向けてその開口５ａから放物線を描いて飛び出すようにした。
【００１３】
また前記円筒３の上方にボールを複数個並べられる断面Ｕ字型の整列樋６を該円筒３と逆方向にやや傾斜させて併設し、整列樋６の下端と前記円筒３の上端とを両端が同方向に開口するＵ字型のパイプ７で連結して整列樋６から流れるボール２の落下方向を切り替えるようにしてある。従って整列樋６から落下するボール２は、Ｕ字パイプ７内を通り１８０°方向を切り替えられて円筒３内に落ち込むようになっている。これは打撃練習機の設置スペースを少なくするためである。尚、前記落下樋４及び整列樋６は、断面Ｕ字型の樋形状に限らずボールが１個通るほどのパイプとしても良い。
【００１４】
また円筒３の中間にボール２が一個落ちる穴８を開け、この穴８に臨むようにボール２の落下防止板９を配してある。落下防止板９は金属の板を山形に２段に折り曲げたものであって一端が支柱１に設けたヒンジ１０に連結しており、他端が足踏みペダル１１に連結するワイヤ１２に連結してある。従って上から流れてきたボール２はこの穴８に落ち込むが山形に折り曲げられた落下防止板９の頂部の左側の斜面９ａで保持されて落下せずその位置に一旦止まる。そしてペダル１１を踏むとワイヤ１２に連結する落下防止板９が引き込まれてヒンジ１０を支点に上方に落下防止板９が上動しボール２を円筒３内に送り込む。そしてボール２は急勾配な落下樋４に落ち込み加速度を付加されて落下し、先端に取り付けられたＬ字型パイプで略９０度上向きに方向を変えられてその開口５ａから放物線を描いて放出される。尚、この際、図３に示すように、次のボールは頂部の右側の斜面で阻止されて穴８に落ち込まず円筒３内に止まった状態にある。そしてペダル１１を放すとワイヤ１２がゆるんで落下防止板９はその自重で下がり前記ボール２は頂部を乗り越えて左側斜面９ａで保持された状態となる。以下同様に繰り返す。また落下防止板９は樹脂板としても良い。
【００１５】
またボールの落下スピードを変化させるために、前記整列樋６、円筒３及び落下樋４は伸縮自在な長さ調節ロッド１３、１４、１５を用いて傾斜角を変えられるようにしてある。すなわち整列樋６の傾斜角は円筒３と整列樋６間に張り渡した長さ調節ロッド１３を用いて、円筒３の傾斜角は、円筒３の下端と支柱１の基端間に張り渡した長さ調節ロッド１４を用いて、また落下樋４の傾斜角は地面から立ち上げてＬ字型パイプ５の下側を支える調節ロッド１５を用いて調節ロッドの長さを変えることによりそれぞれの傾斜角を変えられるようになっている。
【図面の簡単な説明】
【００１６】
【図１】本考案の打撃練習装置の正面図である。
【図２】ボールを止める落下防止板の状態図である。
【図３】ボールを送り出す落下防止板の状態図である。
【符号の説明】
【００１７】
１  支柱
２  ボール
３  円筒
４  落下樋
５  Ｌ字型パイプ
６  整列樋
７  Ｕ字型パイプ
８  穴
９  落下防止板
１０  ヒンジ
１１  足踏みペダル
１２  ワイヤ
１３  長さ調節ロッド
１４  長さ調節ロッド
１５  長さ調節ロッド
【図１】
0003115262.tif 000003
【図２】
0003115262.tif 000004
【図３】
0003115262.tif 000005
【手続補正書】
【提出日】平成17年8月10日(2005.8.10)
【手続補正１】
【補正対象書類名】実用新案登録請求の範囲
【補正対象項目名】全文
【補正方法】変更
【補正の内容】
【実用新案登録請求の範囲】
【請求項１】
支柱（１）の上部にボール（２）が１個通るほどの円筒（３）をやや傾斜させて連結し、この円筒（３）の下端に落下樋（４）を急勾配に傾斜させて連結し、さらに落下樋（４）の先端にＬ字型パイプ（５）を取り付けてボール（２）が上方に向けて飛び出すようにした打撃練習装置。
【請求項２】
前記円筒（３）の上方にボールを複数個並べられる整列樋（６）を該円筒（３）と逆方向にやや傾斜させて併設し、整列樋（６）の下端と前記円筒（３）の上端とをＵ字型パイプ（７）で連結して整列樋（６）から落下するボール（２）が１８０°方向を切り替えられて円筒（３）内に落ち込むようにした請求項１記載の打撃練習装置。
【請求項３】
前記円筒（３）の中間にボール（２）が一個落ちる穴（８）を開け、この穴（８）に臨むようにボール（２）の落下防止板（９）を配してボールを止めるようにすると共に、この落下防止板（９）が金属板または樹脂板を山形に２段に折り曲げたものであって、一端が支柱（１）に設けたヒンジ（１０）に連結しており、他端が足踏みペダル（１１）に連結するワイヤ（１２）に連結してある請求項１及び請求項２に記載の打撃練習装置。
【請求項４】
前記ボール（２）が山形に折り曲げられた落下防止板（９）の頂部左側の斜面（９ａ）で保持されて落下せずその位置に一旦止まり、そしてペダル（１１）を踏むとワイヤ（１２）に連結する落下防止板（９）が引き込まれてヒンジ（１０）を支点に落下防止板（９）が上動しボール（２）を円筒（３）内に送り込むようにした請求項３記載の打撃練習装置。
【請求項５】
前記整列樋（６）、円筒（３）及び落下樋（４）は伸縮自在な長さ調節ロッド（１３）、（１４）、（１５）を用いて傾斜角を変えられるようにした請求項１及び請求項２に記載の打撃練習装置。